(57)【特許請求の範囲】
【請求項１】
固定板（Ａ）に形成した貫通孔（Ｂ）から固定板裏面側に向けて入り込ませる枠体（１）の貫通孔径方向外側に、当該枠体（１）を貫通孔（Ｂ）から入り込ませた状態で固定板表面側に接当する鍔（２）が設けられ、前記枠体（１）の貫通孔径方向内側に、前記貫通孔（Ｂ）から固定板裏面側に向けて入り込ませる反射板（３）が装着されているとともに、前記枠体（１）には、先端部が固定板裏面側で前記貫通孔（Ｂ）の周縁よりも貫通孔径方向外側に突出する突出姿勢で、前記枠体（１）の前記貫通孔（Ｂ）からの抜け出しを阻止する抜け止め具（４，５）が取付けられる埋め込み型照明器具であって、前記枠体（１）に形成した開口（６）に挿通してその開口周縁に前記突出姿勢で係止される第１抜け止め具（４）を取付け可能な第１取付け部（７）と、前記枠体（１）の一定位置に固定して、前記突出姿勢に復帰するよう付勢され、かつ、付勢力に抗しての弾性変位で当該枠体（１）と共に前記貫通孔（Ｂ）から挿入可能な姿勢に姿勢変更される第２抜け止め具（５）を取付け可能な第２取付け部（８）とが設けられているとともに、
前記第２抜け止め具（５）が、前記枠体（１）に形成した固定面（８ａ）に固定される固定部（５ａ）と、前記固定部（５ａ）よりも貫通孔径方向外側に片持ち姿勢で突出する突出部（５ｂ）とを弾性材で一体形成して構成され、前記突出部（５ｂ）の弾性変形で前記枠体（１）と共に前記貫通孔（Ｂ）から挿入可能な姿勢に姿勢変更されるとともに、前記第１取付け部（７）と前記第２取付け部（８）が貫通孔周方向に沿う位置を揃えて上下に配置され、前記固定面（８ａ）が、前記第２抜け止め具（５）の固定部（５ａ）を、前記第１抜け止め具（４）が前記突出姿勢で係止される位置における前記開口周縁の貫通孔径方向外向き側面（１ｃ）よりも貫通孔径方向内側に入り込ませて固定する状態で配置されている埋め込み型照明器具。
【請求項２】
前記第２抜け止め具（５）が、前記開口（６）に係止して回り止めされる請求項１記載の埋め込み型照明器具。
【発明の詳細な説明】
【０００１】
【産業上の利用分野】
本発明は、天井板や壁板等の固定板に形成した貫通孔から固定板裏面側に向けて入り込ませる枠体の貫通孔径方向外側に、当該枠体を貫通孔から入り込ませた状態で固定板表面側に接当する鍔が設けられ、前記枠体の貫通孔径方向内側に、前記貫通孔から固定板裏面側に向けて入り込ませる反射板が装着されているとともに、前記枠体には、先端部が固定板裏面側で前記貫通孔の周縁よりも貫通孔径方向外側に突出する突出姿勢で、前記枠体の前記貫通孔からの抜け出しを阻止する抜け止め具が取付けられる埋め込み型照明器具に関する。
【０００２】
【従来の技術】
冒記埋め込み型照明器具は、先端部が固定板裏面側で貫通孔の周縁よりも貫通孔径方向外側に突出する突出姿勢で、貫通孔から入り込ませた枠体の当該貫通孔からの抜け出しを阻止する抜け止め具と、枠体を貫通孔から入り込ませた状態で固定板表面側に接当する鍔とで固定板を表裏から挟んで、固定板裏面側に向けて入り込ませた枠体を固定板に固定し、枠体の貫通孔径方向内側に装着した反射板を固定板裏面側に向けて入り込ませる状態で設置できるよう構成したものであるが、枠体の貫通孔からの抜け出しを阻止する抜け止め具としては、例えば、実開平４−７８７０９号公報に記載されているように、枠体に形成したスリット等の開口に挿通してその開口周縁に前記突出姿勢で係止されるもの（以下、第１抜け止め具という。）と、特開平４−６２７０９号公報に記載されているように、枠体の一定位置に固定して、前記突出姿勢に復帰するよう付勢され、かつ、付勢力に抗しての弾性変位で当該枠体と共に貫通孔から挿入可能な姿勢に姿勢変更される、板バネ等で製作したもの（以下、第２抜け止め具という。）とがある。
そして、第１抜け止め具は、反射板を枠体から外しておいて、枠体を固定板裏面側に向けて入り込ませてから開口周縁に前記突出姿勢で係止する操作を必要とし、枠体の固定板に対する固定作業が煩雑になる欠点がある反面、貫通孔からの抜け止めが確実で信頼性が高い利点があるのに対して、第２抜け止め具は、付勢力に抗しての弾性変位で枠体と共に貫通孔から挿入可能な姿勢に姿勢変更して貫通孔に挿入すれば、その後は当該第２抜け止め具を格別操作することなく、その弾性復原力によって固定板裏面側で前記突出姿勢に復帰して枠体が抜け止めされるから、枠体の固定板に対する固定作業が簡便になる利点がある反面、固定板に固定した枠体が固定板表面側に無理に強く引っ張られたりすると、前記突出姿勢で抜け止めしていた第２抜け止め具が貫通孔周縁に強く押し付けられて、その先端部が付勢力に抗して貫通孔径方向内側に弾性変位してしまい、貫通孔から抜け出し易くなるから、貫通孔からの抜け止めに対する信頼性が比較的低い欠点がある。
この為、第１抜け止め具による抜け止め仕様とするべきか、第２抜け止め具による抜け止め仕様とするべきかを埋め込み型照明器具の設置場所に応じて合理的に決定することが望まれるが、従来の埋め込み型照明器具は、第１抜け止め具による抜け止め仕様とする場合には、第１抜け止め具のみを取付け可能な構造仕様の枠体を製作して組付け、第２抜け止め具による抜け止め仕様とする場合には、第２抜け止め具のみを取付け可能な構造仕様の枠体を製作して組付けている。
【０００３】
【発明が解決しようとする課題】
この為、一定仕様の埋め込み型照明器具において、そのうちの抜け止め仕様を第１抜け止め具による抜け止め仕様或いは第２抜け止め具による抜け止め仕様に変更して、第１抜け止め具と第２抜け止め具とを適宜使い分けたい場合、その抜け止め仕様に対応する構造仕様の枠体を組付ける必要があるから、埋め込み型照明器具の製作コストが高く付く欠点がある。
【０００４】
本発明は上記実情に鑑みてなされたものであって、抜け止め具が取付けられる枠体の構造を工夫することにより、一定仕様の埋め込み型照明器具において、そのうちの抜け止め仕様を安いコストで変更できるようにすることを目的とする。
【０００５】
又、本発明は、第２抜け止め具の構造を簡略化しながらも、大きな反射板を装着して、反射板からの反射光量の減少を抑制することを目的とする。
【０００６】
又、本発明は、第２抜け止め具の枠体への取付け構造を簡略化することを目的とする。
【０００７】
【課題を解決するための手段】
上記目的を達成する為の本発明の特徴構成は、固定板に形成した貫通孔から固定板裏面側に向けて入り込ませる枠体の貫通孔径方向外側に、当該枠体を貫通孔から入り込ませた状態で固定板表面側に接当する鍔が設けられ、前記枠体の貫通孔径方向内側に、前記貫通孔から固定板裏面側に向けて入り込ませる反射板が装着されているとともに、前記枠体には、先端部が固定板裏面側で前記貫通孔の周縁よりも貫通孔径方向外側に突出する突出姿勢で、前記枠体の前記貫通孔からの抜け出しを阻止する抜け止め具が取付けられる埋め込み型照明器具であって、前記枠体に形成した開口に挿通してその開口周縁に前記突出姿勢で係止される第１抜け止め具を取付け可能な第１取付け部と、前記枠体の一定位置に固定して、前記突出姿勢に復帰するよう付勢され、かつ、付勢力に抗しての弾性変位で当該枠体と共に前記貫通孔から挿入可能な姿勢に姿勢変更される第２抜け止め具を取付け可能な第２取付け部とが設けられているとともに、
【０００８】
前記第２抜け止め具が、前記枠体に形成した固定面に固定される固定部と、前記固定部よりも貫通孔径方向外側に片持ち姿勢で突出する突出部とを弾性材で一体形成して構成され、前記突出部の弾性変形で前記枠体と共に前記貫通孔から挿入可能な姿勢に姿勢変更されるとともに、前記第１取付け部と前記第２取付け部が貫通孔周方向に沿う位置を揃えて上下に配置され、前記固定面が、前記第２抜け止め具の固定部を、前記第１抜け止め具が前記突出姿勢で係止される位置における前記開口周縁の貫通孔径方向外向き側面よりも貫通孔径方向内側に入り込ませて固定する状態で配置されている点にある。
【０００９】
前記第２抜け止め具が、前記開口に係止して回り止めされる場合は、その枠体への取付け構造を簡略化できる。
【００１０】
【作用】
一定仕様の埋め込み型照明器具において、そのうちの抜け止め仕様を第１抜け止め具による抜け止め仕様或いは第２抜け止め具による抜け止め仕様に変更して、第１抜け止め具と第２抜け止め具とを適宜使い分けたい場合、枠体の構造仕様を変更することなく、その抜け止め仕様に対応する抜け止め具を取付けることができる。
【００１１】
また、第２抜け止め具が、枠体に形成した固定面に固定される固定部と、固定部よりも貫通孔径方向外側に片持ち姿勢で突出する突出部とを弾性材で一体形成して構成され、突出部の弾性変形で枠体と共に貫通孔から挿入可能な姿勢に姿勢変更されるとともに、第１取付け部と第２取付け部が貫通孔周方向に沿う位置を揃えて上下に配置され、固定面が、第２抜け止め具の固定部を、第１抜け止め具が前記突出姿勢で係止される位置における開口周縁の貫通孔径方向外向き側面よりも貫通孔径方向内側に入り込ませて固定する状態で配置されているから、第２抜け止め具の構造を簡略化でき、しかも、当該第２抜け止め具を固定する固定面が、第２抜け止め具の固定部を、第１抜け止め具が前記突出姿勢で係止される位置における開口周縁の貫通孔径方向外向き側面と貫通孔径方向で同じ位置又はそれよりも貫通孔径方向外側に固定する状態で配置されている場合に比べて、大きな反射板を装着して、反射板からの反射光量の減少を抑制することができる。
【００１２】
つまり、第１抜け止め具による抜け止め仕様とする場合は、第１抜け止め具を開口に挿通して前記突出姿勢で枠体の開口周縁に係止した状態で、当該第１抜け止め具の基部側端部が枠体の貫通孔径方向内側に入り込むから、枠体内側に入り込んでいる第１抜け止め具の基部側端部よりも貫通孔径方向内側に反射板が収まるよう、当該反射板の寸法・形状を決める必要があり、また、固定面に固定される固定部と、固定面よりも貫通孔径方向外側に片持ち姿勢で突出する突出部とを一体形成してある第２抜け止め具による抜け止め仕様とする場合は、第２抜け止め具の突出部を弾性変形させて、枠体と共に貫通孔から挿入可能な姿勢に姿勢変更しても、突出部の基部側が固定面から貫通孔径方向外側に突き出る状態で湾曲変形するから、その湾曲変形部分が枠体と共に貫通孔から挿入できるよう、当該枠体の寸法・形状を決める必要がある。
【００１３】
従って、一定仕様の埋め込み型照明器具において、枠体の構造仕様を変更することなく、そのうちの抜け止め仕様を第１抜け止め具による抜け止め仕様或いは弾性材で一体形成した第２抜け止め具による抜け止め仕様に変更できるよう、第１抜け止め具を取付け可能な第１取付け部と、第２抜け止め具を取付け可能な第２取付け部とを設けるにあたって、図１２の比較例で示すように、板バネ等で製作した第２抜け止め具５を固定する固定面０１が、当該第２抜け止め具５の固定部５ａを、第１抜け止め具４が前記突出姿勢で係止される位置における開口周縁の貫通孔径方向外向き側面０２と貫通孔径方向で同じ位置又はそれよりも貫通孔径方向外側に固定する状態で配置されていると、第１抜け止め具４による抜け止め仕様とした場合の、前記突出姿勢で枠体０３の開口周縁に係止した第１抜け止め具４が、開口周縁の貫通孔径方向外向き側面０２から貫通孔径方向内側へ入り込んでいる量ｄ１と、第２抜け止め具５による抜け止め仕様とした場合の、第２抜け止め具５の突出部５ｂを弾性変形させて枠体０３と共に固定板Ａの貫通孔Ｂから挿入する時にその基部側が固定面０１から貫通孔径方向外側へ突き出る量ｄ２とを加えた量ｄ以上の間隔が、貫通孔Ｂ内周面と反射板０４外面との間に形成されるよう、当該反射板０４の寸法・形状を決める必要があるから、枠体０３の貫通孔径方向内側に装着できる反射板０４の大きさがその分小さくなる。
【００１４】
とろが、例えば図１に示すように、第１取付け部７と第２取付け部８が、貫通孔Ｂの周方向に沿う位置を揃えて上下に配置され、板バネ等で製作した第２抜け止め具５の固定部５ａを固定する固定面８ａが、固定部５ａを、第１抜け止め具４が前記突出姿勢で係止される位置における開口周縁の貫通孔径方向外向き側面１ｃよりも貫通孔径方向内側に入り込ませて固定する状態で配置されていると、第１抜け止め具４による抜け止め仕様とした場合の、当該第１抜け止め具４が前記突出姿勢で係止される位置における開口周縁の貫通孔径方向外向き側面１ｃよりも貫通孔径方向内側に位置する範囲ｅと、第２抜け止め具５による抜け止め仕様とした場合の、当該第２抜け止め具５の突出部５ｂを弾性変形させて枠体１と共に貫通孔Ｂから挿入する時にその基部側が固定面８ａから貫通孔径方向外側へ突き出る範囲ｆとが重なるから、貫通孔Ｂ内周面と反射板３外面との間に形成しなければならない間隔が小さくなり、枠体１の貫通孔径方向内側に装着できる反射板３の大きさを大きくすることができるのである。
【００１５】
第２抜け止め具が、開口に係止して回り止めされる場合は、その一箇所をビス等で枠体に止め付けることで、当該第２抜け止め具を回り止め状態で固定することができる。
【００１６】
【発明の効果】
請求項１記載の埋め込み型照明器具は、一定仕様の埋め込み型照明器具において、そのうちの抜け止め仕様を安いコストで変更できる。
【００１７】
また、請求項１記載の埋め込み型照明器具は、第２抜け止め具の構造を簡略化しながらも、大きな反射板を装着して、反射板からの反射光量の減少を抑制することができる。
【００１８】
請求項２記載の埋め込み型照明器具は、第２抜け止め具の枠体への取付け構造を簡略化できる。
【００１９】
【実施例】
図１，図２は、固定板の一例である天井板Ａに形成した円形の貫通孔Ｂから天井板裏面側に向けて入り込ませる枠体１の貫通孔径方向外側に、当該枠体１を貫通孔Ｂから入り込ませた状態で天井板表面側に接当する円環状の鍔２が設けられ、枠体１の貫通孔径方向内側に、貫通孔Ｂから天井板裏面側に向けて入り込ませる反射板３が装着されているとともに、枠体１には、先端部が天井板裏面側で貫通孔Ｂの周縁よりも貫通孔径方向外側に突出する突出姿勢で、貫通孔Ｂから入り込ませた枠体１の当該貫通孔Ｂからの抜け出しを阻止する抜け止め具４，５が取付けられる埋め込み型照明器具の一例であるダウンライトを示し、枠体１に形成した開口の一例である上下方向に長いスリット孔６に挿通してそのスリット孔周縁に前記突出姿勢で係止される第１抜け止め具４を取付け可能な第１取付け部７と、枠体１下部の一定位置に固定して、前記突出姿勢に復帰するよう付勢され、かつ、付勢力に抗しての弾性変位で当該枠体１と共に貫通孔Ｂから挿入可能な姿勢に姿勢変更される第２抜け止め具５を取付け可能な第２取付け部８とを、貫通孔周方向に沿う位置を揃えて上下に配置して、枠体１の構造仕様を変更することなく、その抜け止め仕様を、図３，図４に示すような、第１抜け止め具４による抜け止め仕様、或いは、図８，図９に示すような、第２抜け止め具５による抜け止め仕様に変更できるよう構成されている。
【００２０】
前記枠体１は、全体が側面視で下向きコの状に板金成形され、かつ、両側縁部を折り曲げた断面コの字型の帯状フレーム１ａの両端を樹脂製の円筒状フレーム１ｂにビス止めして構成され、帯状フレーム１ａの上面側には白熱ランプ９のソケット１０を支持する板金製の支持フレーム１１がビス止めされているとともに、円筒状フレーム１ｂの下端側に前述の鍔２が一体成形されている。
【００２１】
前記反射板３は平面視で円形の下向き椀状に板金成形され、白熱ランプ９をその内側中心部に入り込ませる貫通孔３ａが形成されているとともに、その上部を帯状フレーム１ａにビス止めし、その下端側周縁部３ｂを鍔２の内周側に形成した環状段部に嵌め込んで固定してある。
【００２２】
前記第１抜け止め具４は、図６，図７に示すように、スリット孔６に沿ってスライド移動可能に取付けられるスライド金具１２に、当該スライド金具１２を天井板裏面側に押し付ける為の操作部材１３を横軸芯Ｘ回りで上下揺動操作自在に取付けて構成されている。
【００２３】
前記スライド金具１２は薄板をスリット孔６の幅よりも若干狭い幅で上向きコの字状に板金成形して構成され、間隔を隔てて互いに対向する対向片１２ａの各々には、天井板裏面側に対して押し付けられる押圧片１２ｂと、スリット孔６から貫通孔径方向内側に挿通される挿通片１２ｃとが延設され、挿通片１２ｃの各々にはスリット孔６からの抜け止め片１２ｄが横側方に折り曲げ形成されているとともに、対向片１２ａ各々の上部遊端側にはリブ１２ｅが横側方に折り曲げ形成され、リブ１２ｅの各々には、当該スライド金具１２を天井板裏面側に押し付けるにともなって、枠体１外面、つまり、スリット孔６横の帯状フレーム１ａ外面に押圧されて上向きに弾性的に湾曲変形する弾性片１２ｆが延設され、弾性片１２ｆの先端部分が若干上向きに折り曲げられている。
【００２４】
前記操作部材１３は左右の挿通片１２ｃに亘って横軸芯Ｘ回りで上下揺動操作自在に支承され、横軸芯Ｘを挟んで、手指に引っ掛けて上下に揺動操作される操作アーム１３ａと、枠体１内面、つまり、帯状フレーム１ａ内面に押圧される押圧アーム１３ｂとを一体に備えた側面視でＳ字状に屈曲形成されている。
【００２５】
前記第２抜け止め具５は、弾性材の一例である帯状の板バネで構成されているもので、図１１に示すように、枠体１の帯状フレーム１ａに形成した第２取付け部８の固定面８ａに固定される固定板部５ａと、固定板部５ａよりも貫通孔径方向外側に片持ち姿勢で突出する突出板部５ｂとが一体に折り曲げ形成されている。
【００２６】
前記第２取付け部８は、第１取付け部７を形成しているスリット孔６下端側の帯状フレーム１ａ部分を貫通孔径方向内側に打ち出し成形して形成され、第２抜け止め具５の固定板部５ａを固定する固定面８ａが、当該固定板部５ａを、第１抜け止め具４が前記突出姿勢で係止される位置におけるスリット孔周縁の貫通孔径方向外向き側面１ｃよりも貫通孔径方向内側に入り込ませて固定する状態で配置されている。
【００２７】
そして、上記一定仕様の埋め込み型照明器具において、そのうちの抜け止め仕様を第１抜け止め具４による抜け止め仕様としたい場合は、図３，図４で示すように、第１抜け止め具４の操作部材１３と挿通片１２ｃと抜け止め片１２ｄとを貫通孔径方向外側からスリット孔６に挿通し、第２抜け止め具５による抜け止め仕様としたい場合は、図８，図９に示すように、第２抜け止め具５の固定板部５ａを帯状フレーム１ａに形成した固定面８ａに当て付けて、当該帯状フレーム１ａと共に円筒状フレーム１ｂにビス止めし、枠体１の構造仕様を変更することなく、その抜け止め仕様に対応する第１抜け止め具４或いは第２抜け止め具５を取付けることができるように構成してある。
【００２８】
尚、第２抜け止め具５は、図９に示すように、その固定板部５ａの一箇所を帯状フレーム１ａと共に円筒状フレーム１ｂにビス止めして固定され、当該固定板部５ａの端部５ｃをスリット孔６に係止して回り止めされる。
【００２９】
次に、上記埋め込み型照明器具の設置方法を説明する。
第１抜け止め具４による抜け止め仕様の場合、白熱ランプ９と反射板３を外して、図５（イ）に示すように、スリット孔６に挿通した第１抜け止め具４のリブ１２ｅと弾性片１２ｆとを帯状フレーム１ａ外面に沿わせるように保持し、鍔２が天井板表面ａに接当するまで、枠体１と共に天井板裏面側に向けて入り込ませてから、図５（ロ）の仮想線で示すように、抜け止め片１２ｄが帯状フレーム１ａ内面に接当するまで、スライド金具１２を天井板裏面上方側に押し出し、図５（ロ）の実線に示すように、当該スライド金具１２のスリット孔６に沿っての押し下げ移動で押圧片１２ｂを天井板裏面ｂに対して押し付ける。
【００３０】
そして、操作部材１３の操作アーム１３ａを矢印のように下向きに揺動操作すると、押圧アーム１３ｂの先端部がスリット孔６横の帯状フレーム１ａ内面に押圧され、鍔２が天井板表面ａに接当していて枠体１の上向き移動が阻止されているから、更に操作アーム１３ａを揺動操作すると、スライド金具１２の弾性片１２ｆが弾性変形しながら、横軸芯Ｘが押圧アーム１３ｂの先端部を支点にして下向きに移動して、スライド金具１２全体が更に押し下げられ、横軸芯Ｘが押圧アーム１３ｂの先端部よりも若干下側に移動して操作アーム１３ａが帯状フレーム１ａ内面に接当すると、図５（ハ）に示すように、スライド金具１２の押圧片１２ｂが、弾性変形した弾性片１２ｆの弾性復原力で天井板裏面ｂを強く押圧する状態で、第１抜け止め具４がスリット孔周縁に前記突出姿勢で係止され、枠体１が天井板Ａに固定される。
【００３１】
次に、反射板３を鍔２の内側から天井板裏面側に入り込ませて帯状フレーム１ａにビス止めし、白熱ランプ９をソケット１０に装着する。
【００３２】
尚、第１抜け止め具４による抜け止め仕様の埋め込み型照明器具を天井板Ａから外す時は、上述の設置操作と逆の操作を行えば良い。
【００３３】
第２抜け止め具５による抜け止め仕様の場合、図１０に示すように、第２抜け止め具５の突出板部５ｂを手指で帯状フレーム１ａ外面に沿わせるように弾性変形させて、当該第２抜け止め具５を枠体１と共に貫通孔Ｂから挿入可能な姿勢に姿勢変更し、その状態に保持して、鍔２が天井板表面ａに接当するまで、枠体１と共に天井板裏面側に向けて入り込ませると、天井板裏面側に入り込んだ突出板部５ｂが、弾性復原力で前記突出姿勢に復帰しようとして，図８の仮想線で示すように、天井板裏面ｂを押圧し、枠体１が天井板Ａに固定される。
【００３４】
尚、第２抜け止め具５による抜け止め仕様の埋め込み型照明器具を天井板Ａから外す時は、必要に応じて白熱ランプ９と反射板３を外す等してから、枠体１を無理に押し下げれば、第２抜け止め具５の突出板部５ｂが貫通孔Ｂ周縁の天井板裏面ｂに押圧されて帯状フレーム１ａ外面に沿うように弾性変形し、貫通孔Ｂから押し出される。
【００３５】
〔その他の実施例〕
１．第１取付け部と第２取付け部とが設けられる枠体は、有底筒状の箱型に形成されていても良い。
２．第１抜け止め具は、枠体に形成した孔や溝、切欠部等の開口に挿通してその開口周縁に前記突出姿勢で係止されるものであれば、その形状、構造は特に限定されない。
３．第２抜け止め具は、突出部の弾性変形で枠体と共に貫通孔から挿入可能な姿勢に姿勢変更されるものであれば、固定部と突出部とを弾性を備えた樹脂等で一体成形したものであっても良い。
４．内装用の壁板等のように、板面を上下方向に沿わせて固定される固定板に形成した貫通孔に入り込ませて設置される埋め込み型照明器具であっても良い。
５．反射板の形状は、平面視で円形に限定されず、平面視で多角形や楕円形であっても良い。
６．反射板の枠体に対する取付け構造は、反射板に形成した貫通孔に、枠体に固定した板バネを係脱させて、脱着自在に装着されるものであっても良い。
【００３６】
尚、特許請求の範囲の項に図面との対照を便利にするために符号を記すが、該記入により本発明は添付図面の構成に限定されるものではない。
【図面の簡単な説明】
【図１】一部断面正面図
【図２】一部切欠側面図
【図３】第１抜け止め具による抜け止め仕様とした場合の一部断面正面図
【図４】第１抜け止め具による抜け止め仕様とした場合の要部側面図
【図５】（イ),（ロ),（ハ）は、設置方法を説明する要部断面図
【図６】第１抜け止め具の平面図
【図７】第１抜け止め具の側面図
【図８】第２抜け止め具による抜け止め仕様とした場合の要部の一部断面正面図
【図９】第２抜け止め具による抜け止め仕様とした場合の要部側面図
【図１０】設置方法を説明する要部断面図
【図１１】第２抜け止め具の斜視図
【図１２】比較例を示す一部断面正面図
【符号の説明】
１    枠体
１ｃ  外向き側面
２    鍔
３    反射板
４    第１抜け止め具
５    第２抜け止め具
５ａ  固定部
５ｂ  突出部
６    開口
７    第１取付け部
８    第２取付け部
８ａ  固定面
Ａ    固定板
Ｂ    貫通孔
【図１】
0003591865.tif 000002
【図２】
0003591865.tif 000003
【図３】
0003591865.tif 000004
【図４】
0003591865.tif 000005
【図５】
0003591865.tif 000006
【図６】
0003591865.tif 000007
【図７】
0003591865.tif 000008
【図８】
0003591865.tif 000009
【図９】
0003591865.tif 000010
【図１０】
0003591865.tif 000011
【図１１】
0003591865.tif 000012
【図１２】
0003591865.tif 000013